(57)【要約】      （修正有）【課題】騒音を低減し、作業環境の快適性を向上することができ、環境保護に有益である騒音低減装置を提供する。【解決手段】台座１及び金属メッシュフレームサポート４を備える騒音低減装置であって、台座１の上表面には、金属メッシュフレームサポート４が連結固定され、台座１の上方には、強化ガラスカバー５が着脱可能に連結される。強化ガラスカバー５の内部キャビティは、真空キャビティであり、強化ガラスカバー５の内壁には消音部材７が配合され、消音部材７は、それぞれ防音板、凹溝及び突起を備え、防音板の表面は、凹溝及び突起と一体に成形される。強化ガラスカバー５は前面の位置において排出扉にヒンジ連結され、排出扉の表面には、対称の位置に貫通孔が設けられている。貫通孔の内壁には、波形管が接着され、強化ガラスカバー５の上表面には、排気浄化部材６が取り付けられる。【選択図】図１
0003233426.tif 000002
【実用新案登録請求の範囲】
【請求項１】
台座（１）及び金属メッシュフレームサポート（４）を備える騒音低減装置であって、
前記台座（１）の上表面には、金属メッシュフレームサポート（４）が連結固定され、
前記台座（１）の上方には、強化ガラスカバー（５）が着脱可能に連結され、
前記強化ガラスカバー（５）の内部キャビティは、真空キャビティ（５０１）であり、
前記強化ガラスカバー（５）の内壁には、消音部材（７）が配合され、
前記消音部材（７）は、それぞれ防音板（７０１）、凹溝（７０２）及び突起（７０３）を備え、
前記防音板（７０１）の表面は、凹溝（７０２）及び突起（７０３）と一体に成形され、
前記強化ガラスカバー（５）は、前面の位置において排出扉（９）にヒンジ連結され、
前記排出扉（９）の表面には、対称の位置に貫通孔（１０）が設けられ、
前記貫通孔（１０）の内壁には、波形管（１１）が接着され、
前記強化ガラスカバー（５）の上表面には、排気浄化部材（６）が取り付けられる、
ことを特徴とする騒音低減装置。
【請求項２】
請求項１に記載の騒音低減装置であって、
前記台座（１）の表面は、それぞれ第１ゴム帯（３）及び第２ゴム帯（３０１）に接着する、
ことを特徴とする騒音低減装置。
【請求項３】
請求項２に記載の騒音低減装置であって、
前記第１ゴム帯（３）は、第２ゴム帯（３０１）の内部に位置する、
ことを特徴とする騒音低減装置。
【請求項４】
請求項３に記載の騒音低減装置であって、
前記第１ゴム帯（３）及び第２ゴム帯（３０１）の間隔は、強化ガラスカバー（５）の壁厚よりも大きい、
ことを特徴とする騒音低減装置。
【請求項５】
請求項１に記載の騒音低減装置であって、
前記排気浄化部材（６）は、それぞれ吸気フード（６０１）、排気ファン（６０２）及び活性炭メッシュ板（６０３）を備える、
ことを特徴とする騒音低減装置。
【請求項６】
請求項５に記載の騒音低減装置であって、
前記吸気フード（６０１）は、排気ファン（６０２）の吸気端と導電接続し、前記排気ファン（６０２）の排気口の位置には、活性炭メッシュ板（６０３）が着脱可能に連接されている、
ことを特徴とする騒音低減装置。
【請求項７】
請求項１に記載の騒音低減装置であって、
前記強化ガラスカバー（５）の上表面の中央の位置には挿入孔（５０２）が設けられ、前記強化ガラスカバー（５）の両壁の上端に近い位置には、取っ手（８）が連結固定されている、
ことを特徴とする騒音低減装置。
【請求項８】
請求項１に記載の騒音低減装置であって、
前記台座（１）の表面には、集塵フード（２）が挿嵌されている、
ことを特徴とする騒音低減装置。
【請求項９】
請求項８に記載の騒音低減装置であって、
前記集塵フード（２）の下端には、集塵ボックス（２０１）が着脱可能に連結している、
ことを特徴とする騒音低減装置。
【請求項１０】
請求項９に記載の騒音低減装置であって、
前記集塵フード（２）は、金属メッシュフレームサポート（４）の真下に位置する、
ことを特徴とする騒音低減装置。
【考案の詳細な説明】
【技術分野】
【０００１】
本考案は、騒音低減装置に関する。具体的には、騒音低減装置である。
【背景技術】
【０００２】
騒音とは、人を苛立たせる、或いは音量が大きすぎて人体の健康を害する音である。環境保護の観点からは、人々の通常の休息、学習、仕事を妨げるすべての音、及び人々が聞きたい音を妨げる音はすべて騒音です。物理学の観点からは、騒音とは、発声体が不規則に振動する際に生成される音です。
【０００３】
しかしながら、従来の騒音低減装置には、以下の欠点が存在する。
【０００４】
１．周知のように、研磨機を使用してワークを研磨する工程においては、騒音の発生とともに、耳障りな騒音が施工者の鼓膜にショックを与え、不快感を引き起こす。
【０００５】
２．研磨工程においては、廃棄物や刺激性のある排気ガスが発生すると、廃棄物は集中的に回収するのに不便であり、排出ガスは直接排出されるため、環境を汚染し、作業環境の快適性を低下させる。
【考案の概要】
【０００６】
本考案の目的は、上記背景技術中の従来の騒音低減装置における以下の問題、即ち、周知のように、研磨機を使用してワークを研磨する工程において、騒音の発生とともに、耳障りな騒音が施工者の鼓膜にショックを与え、不快感を引き起こすこと、及び、研磨工程において、廃棄物や刺激性のある排気ガスが発生すると、廃棄物は集中的に回収するのに不便であり、排出ガスは直接排出されるため、環境を汚染し、作業環境の快適性を低下させること、を解決する騒音低減装置を提供することである。
【課題を解決するための手段】
【０００７】
上記目的を実現するために、本考案は、台座及び金属メッシュフレームサポートを備える騒音低減装置を提供する。台座の上表面には、金属メッシュフレームサポートが連結固定され、台座の上方には、強化ガラスカバーが着脱可能に連結される。強化ガラスカバーの内部キャビティは、真空キャビティであり、強化ガラスカバーの内壁には消音部材が配合され、消音部材は、それぞれ防音板、凹溝及び突起を備え、防音板の表面は、凹溝及び突起と一体に成形される。強化ガラスカバーは前面の位置において排出扉にヒンジ連結され、排出扉の表面には、対称の位置に貫通孔が設けられている。貫通孔の内壁には、波形管が接着され、強化ガラスカバーの上表面には、排気浄化部材が取り付けられる。強化ガラスカバーに消音部材を配合して、作業領域に覆設することで、有効に騒音を低減し、作業環境の快適性を向上することができる。また、強化ガラスカバーの上表面に排気浄化部材を取り付けることで、排気を集めてフィルタ処理するため、環境保護に有益である。
【０００８】
好ましくは、台座の表面は、それぞれ第１ゴム帯及び第２ゴム帯に接着する。
【０００９】
好ましくは、第１ゴム帯は、第２ゴム帯内部に位置する。
【００１０】
好ましくは、第１ゴム帯及び第２ゴム帯の間隔は、強化ガラスカバーの壁厚よりも大きい。第１ゴム帯と第２ゴム帯を共に使用することで、強化ガラスカバーの挿嵌及び固定が容易になり、且つ強化ガラスカバーと台座の連結箇所の密封性が有効に向上し、騒音が有効に低減される。
【００１１】
好ましくは、排気浄化部材は、それぞれ吸気フード、排気ファン及び活性炭メッシュ板を備える。排気浄化部材の排気ファンにより負圧を発生させ、作業工程で発生する排気を吸気フードにより一方向に吸引し、活性炭メッシュ板で濾過・浄化することで、空気の汚染を低減することができる。
【００１２】
好ましくは、吸気フードは、排気ファンの吸気端と導電接続し、排気ファンの排気口の位置には、活性炭メッシュ板が着脱可能に連接されている。排気浄化部材の排気ファンにより負圧を発生させ、作業工程で発生する排気を吸気フードにより一方向に吸引し、活性炭メッシュ板で濾過・浄化することで、空気の汚染を低減することができる。
【００１３】
好ましくは、強化ガラスカバーの上表面の中央の位置には挿入孔が設けられ、強化ガラスカバーの両壁の上端に近い位置には、取っ手が連結固定されている。挿入孔により、吸気フードの挿嵌および固定が容易になり、取っ手により強化ガラスカバーを持ち上げることが容易になる。
【００１４】
好ましくは、台座の表面には、集塵フードが挿嵌されている。
【００１５】
好ましくは、集塵フードの下端には、集塵ボックスが着脱可能に連結している。
【００１６】
好ましくは、集塵フードは、金属メッシュフレームサポートの真下に位置する。研磨工程で発生する廃棄物は、それ自体の重力作用により集塵フードに入り、集塵フードのガイド作用により集塵ボックス内部に入る。
【考案の効果】
【００１７】
本考案は、以下の有益な効果を有する。
【００１８】
（１）本考案は、台座の上方には、強化ガラスカバーが着脱可能に連結される。強化ガラスカバーの内部キャビティは、真空キャビティであり、強化ガラスカバーそれ自体遮音性能を有しており、真空キャビティは音を伝達しない。強化ガラスカバーの内壁には消音部材が配合され、消音部材は、それぞれ防音板、凹溝及び突起を備え、防音板の表面は、凹溝及び突起と一体に成形される。研磨工程で発生する騒音は、防音板の凹溝及び突起に衝突し、音が屈折する。このように、強化ガラスカバーに消音部材を配合して、作業領域に覆設することで、有効に騒音を低減し、作業環境の快適性を向上することができる。
強化ガラスカバーは前面の位置において排出扉にヒンジ連結され、排出扉の表面には、対称の位置に貫通孔が設けられている。貫通孔の内壁には、波形管が接着され、強化ガラスカバーの上表面には、排気浄化部材が取り付けられる。強化ガラスカバーに消音部材を配合して、作業領域に覆設することで、有効に騒音を低減し、作業環境の快適性を向上することができる。また、強化ガラスカバーの上表面に排気浄化部材を取り付けることで、排気を集めてフィルタ処理するため、環境保護に有益である。
【００１９】
（２）本考案は、強化ガラスカバーの上表面に排気浄化部材を取り付けることで、排気浄化部材の排気ファンにより負圧を発生させ、作業工程で発生する排気を吸気フードにより一方向に吸引し、活性炭メッシュ板で濾過・浄化することで、空気の汚染を低減することができる。
【図面の簡単な説明】
【００２０】
【図１】図１は、本考案の騒音低減装置の全体構造を示す概略図である。
【図２】図２は、本考案の騒音低減装置の強化ガラスカバーの正面概略図である。
【図３】図３は、本考案の騒音低減装置の強化ガラスカバーと排出扉の連結を示す概略図である。
【図４】図４は、本考案の騒音低減装置の排気浄化部材の概略図である。
【図５】図５は、本考案の騒音低減装置の消音部材の概略図である。
【考案を実施するための形態】
【００２１】
図１−５に示すように、本考案は、台座１及び金属メッシュフレームサポート４を備える騒音低減装置を提供する。台座１の上表面には、金属メッシュフレームサポート４が連結固定され、台座１の上方には、強化ガラスカバー５が着脱可能に連結される。強化ガラスカバー５の内部キャビティは、真空キャビティ５０１であり、強化ガラスカバー５の内壁には消音部材７が配合され、消音部材７は、それぞれ防音板７０１、凹溝７０２及び突起７０３を備え、防音板７０１の表面は、凹溝７０２及び突起７０３と一体に成形される。強化ガラスカバー５は前面の位置において排出扉９にヒンジ連結され、排出扉９の表面には、対称の位置に貫通孔１０が設けられている。貫通孔１０の内壁には、波形管１１が接着され、強化ガラスカバー５の上表面には、排気浄化部材６が取り付けられる。強化ガラスカバー５に消音部材７を配合して、作業領域に覆設することで、有効に騒音を低減し、作業環境の快適性を向上することができる。また、強化ガラスカバー５の上表面に排気浄化部材６を取り付けることで、排気を集めてフィルタ処理するため、環境保護に有益である。
【００２２】
また、台座１の表面は、それぞれ第１ゴム帯３及び第２ゴム帯３０１に接着する。
【００２３】
また、第１ゴム帯３は、第２ゴム帯３０１内部に位置する。
【００２４】
また、第１ゴム帯３及び第２ゴム帯３０１の間隔は、強化ガラスカバー５の壁厚よりも大きい。第１ゴム帯３と第２ゴム帯３０１を共に使用することで、強化ガラスカバー５の挿嵌及び固定が容易になり、且つ強化ガラスカバー５と台座１の連結箇所の密封性が有効に向上し、騒音が有効に低減される。
【００２５】
また、排気浄化部材６は、それぞれ吸気フード６０１、排気ファン６０２及び活性炭メッシュ板６０３を備える。排気浄化部材６の排気ファン６０２により負圧を発生させ、作業工程で発生する排気を吸気フード６０１により一方向に吸引し、活性炭メッシュ板６０３で濾過・浄化することで、空気の汚染を低減することができる。
【００２６】
また、吸気フード６０１は、排気ファン６０２の吸気端と導電接続し、排気ファン６０２の排気口の位置には、活性炭メッシュ板６０３が着脱可能に連接されている。排気浄化部材６の排気ファン６０２により負圧を発生させ、作業工程で発生する排気を吸気フード６０１により一方向に吸引し、活性炭メッシュ板６０３で濾過・浄化することで、空気の汚染を低減することができる。
【００２７】
また、強化ガラスカバー５の上表面の中央の位置には挿入孔５０２が設けられ、強化ガラスカバー５の両壁の上端に近い位置には、取っ手８が連結固定されている。挿入孔５０２により、吸気フード６０１の挿嵌および固定が容易になり、取っ手８により強化ガラスカバー５を持ち上げることが容易になる。
【００２８】
また、台座１の表面には、集塵フード２が挿嵌されている。
【００２９】
また、集塵フード２の下端には、集塵ボックス２０１が着脱可能に連結している。
【００３０】
また、集塵フード２は、金属メッシュフレームサポート４の真下に位置する。研磨工程で発生する廃棄物は、それ自体の重力作用により集塵フード２に入り、集塵フード２のガイド作用により集塵ボックス２０１内部に入る。
【００３１】
なお、騒音低減装置は、作業時には、強化ガラスカバー５を台座１の表面に置き、強化ガラスカバー５の下端を第１ゴム帯３と第２ゴム帯３０１との間に挿嵌する。これにより、強化ガラスカバー５が挿嵌固定され、強化ガラスカバーと台座の連結箇所の密封性が有効に向上する。強化ガラスカバー５に対して排出扉９を開き、研磨機及びワークをいずれも金属メッシュフレームサポート４の表面に置き、強化ガラスカバー５に対して排出扉９を閉じ、施工者の両手で貫通孔１０を介して強化ガラスカバー５の内部に挿入する。波形管１１は、手部と強化ガラスカバー５との接合の密封性を向上させる。一方の手でワークを持ち、もう一方の手で研磨機を持ち、金属メッシュフレームサポート４の表面に研磨作業を行う。強化ガラスカバー５の内部キャビティは、真空キャビティ５０１であり、強化ガラスカバー５は、それ自体遮音性能を有しており、真空キャビティ５０１は音を伝達しない。強化ガラスカバー５の内壁には消音部材７が配合され、消音部材７は、それぞれ防音板７０１、凹溝７０２及び突起７０３を備え、防音板７０１の表面は、凹溝７０２及び突起７０３と一体に成形される。研磨工程で発生する騒音は、防音板７０１の凹溝７０２及び突起７０３に衝突し、音が屈折する。このように、強化ガラスカバー５に消音部材７を配合して、作業領域に覆設することで、有効に騒音を低減し、作業環境の快適性を向上することができる。強化ガラスカバー５の上表面には、排気浄化部材６が取り付けられ、排気浄化部材６は、それぞれ吸気フード６０１、排気ファン６０２及び活性炭メッシュ板６０３を備える。排気浄化部材６の排気ファン６０２により負圧を発生させ、作業工程で発生する排気を吸気フード６０１により一方向に吸引し、活性炭メッシュ板６０３で濾過・浄化することで、空気の汚染を低減することができる。台座１の表面には、集塵フード２が挿嵌され、集塵フード２の下端には、集塵ボックス２０１が着脱可能に連結している。集塵フード２は、金属メッシュフレームサポート４の真下に位置する。研磨工程で発生する廃棄物は、それ自体の重力作用により集塵フード２に入り、集塵フード２のガイド作用により集塵ボックス２０１内部に入る。
【符号の説明】
【００３２】
１  台座
２  集塵フード
２０１  集塵ボックス
３  第１ゴム帯
３０１  第２ゴム帯
４  金属メッシュフレームサポート
５  強化ガラスカバー
５０１  真空キャビティ
５０２  挿入孔
６  排気浄化部材
６０１  吸気フード
６０２  排気ファン
６０３  活性炭メッシュ板
７  消音部材
７０１  防音板
７０２  凹溝
７０３  突起
８  取っ手
９  排出扉
１０  貫通孔
１１  波形管
【図１】
0003233426.tif 000003
【図２】
0003233426.tif 000004
【図３】
0003233426.tif 000005
【図４】
0003233426.tif 000006
【図５】
0003233426.tif 000007